(57)【要約】本発明は、表示領域を有するマルチモードディスプレイ装置に関し、当該ディスプレイ装置は、第一のモードで、表示領域にディスプレイ・フォーカスアプリケーションを表示するために適合され、当該ディスプレイ装置は、第二のモードで、再生されているオーディオを示す表示領域にオーディオに特化した情報を表示するために適合され、当該ディスプレイ装置は、第三のモードで、独立なディスプレイ・フォーカスアプリケーションとオーディオに特化した情報を表示領域に同時に表示するために適合される。当該装置は、上記オーディオに特化した情報を含むオーディオデータを受信するために適合される受信手段３０７、上記表示領域に上記オーディオに特化した情報を表示するために適合される処理手段３０９を有する。これにより、ユーザは、オーディオを聴きつつ、ディスプレイ装置でオーディオに特化した情報を見るのを選択することができる。表示領域にオーディオに特化した情報を追加する個別の処理手段のため、ディスプレイ・フォーカスアプリケーションのビューを妨げることなしに情報が追加される。これは、たとえばＬＣＤ  ＴＶモニタプロダクトにおけるＦＭラジオ機能について有利なことに使用することができ、ユーザは異なるラジオブロードキャストステーションを選択するとき、ＦＭラジオチャネル周波数を見ることができる。
2007514187.tif 000002
【特許請求の範囲】
【請求項１】
表示領域を有するマルチモードディスプレイ装置であって、
当該ディスプレイ装置は、第一のモードで、前記表示領域にディスプレイ・フォーカスアプリケーションを表示するために適合され、
当該ディスプレイ装置は、第二のモードで、再生されているオーディオを示す前記表示領域にオーディオに特化した情報を表示するために適合され、
当該ディスプレイ装置は、第三のモードで、前記表示領域に独立なディスプレイ・フォーカスアプリケーションとオーディオに特化した情報を同時に表示するために適合され、
当該装置は、
前記オーディオに特化した情報を含むオーディオデータを受信するために適合される受信手段と、
前記表示領域に前記オーディオに特化した情報を表示するために適合される処理手段と、
を有することを特徴とするマルチモードディスプレイ装置。
【請求項２】
当該装置は、前記オーディオを再生するための手段を有する、
請求項１記載のマルチモードディスプレイ装置。
【請求項３】
当該装置は、前記オーディオに特化した情報を記憶するために適合される記憶手段を更に有し、前記処理手段は、前記記憶手段からの前記オーディオに特化した情報を読取るために適合される、
請求項１又は２記載のマルチモードディスプレイ装置。
【請求項４】
当該装置は、外部のオーディオソースを接続するためのコネクタを有し、当該装置は、前記コネクタを介して前記オーディオソースからのオーディオに特化した情報を含む前記オーディオデータを受信する、
請求項１乃至３のいずれか記載のマルチモードディスプレイ装置。
【請求項５】
前記表示領域は液晶ディスプレイである、
請求項１乃至４のいずれか記載のマルチモードディスプレイ装置。
【請求項６】
前記表示領域に前記オーディオに特化した情報を表示するための前記処理手段は、当該ディスプレイに含まれる計数器である、
請求項１乃至５のいずれか記載のマルチモードディスプレイ装置。
【請求項７】
表示領域でオーディオアプリケーションを視覚的に処理するマルチモードディスプレイ装置の方法であって、
前記ディスプレイ装置は、第一のモードで、前記表示領域にディスプレイ・フォーカスアプリケーションを表示するために適合され、
前記ディスプレイ装置は、第二のモードで、前記表示領域にオーディオに特化した情報を表示するために適合され、
前記ディスプレイ装置は、第三のモードで、前記表示領域に独立なディスプレイ・フォーカスアプリケーションとオーディオに特化した情報を同時に表示するために適合され、
当該方法は、
前記オーディオに特化した情報を含むオーディオデータを受信するステップと、
前記表示領域に前記オーディオに特化した情報を表示するステップと、
を有することを特徴とする方法。
【請求項８】
前記装置は、受信されたオーディオに特化した情報を記憶するために適合される記憶手段を更に有し、前記表示領域に表示される前記オーディオに特化した情報は、前記記憶手段から読取られる、
請求項７記載の方法。
【請求項９】
前記装置は、外部のオーディオソースを接続するためのコネクタを有し、前記装置は、前記コネクタを介して前記オーディオソースからのオーディオに特化した情報を含む前記オーディオデータを受信する、
請求項７又は８記載の方法。
【請求項１０】
前記装置は、前記ディスプレイ装置のユーザから入力を受信する手段を更に有し、
当該方法は、
前記ディスプレイがどのモードで使用されるかを示す、前記ディスプレイ装置のユーザから入力を受信するステップと、
前記第二又は第三のモードが選択された場合に、前記表示領域に前記オーディオに特化した情報を表示するステップと、
を含む請求項７乃至９のいずれか記載の方法。
【発明の詳細な説明】
【技術分野】
【０００１】
本発明は、表示領域でオーディオアプリケーションを視覚的に処理するマルチモード表示装置、及び表示領域でオーディオアプリケーションを視覚的に処理するマルチモード表示装置の方法に関する。
【背景技術】
【０００２】
今日のＣＲＴ  ＴＶでは、ＴＶスクリーンにカラー又はダークバックグランドを表示しつつ、ＦＭラジオを選択し、ラジオブロードキャストを受信することが可能である。また、この同じカラー又はダークバックグランドでＦＭラジオのチャネル周波数を表示することも可能である。この表示タイプは、３つのモードを有する表示装置である、マルチモード表示装置とも呼ばれる。第一のモードは、たとえばＰＣスクリーンといった表示領域にディスプレイ・フォーカスアプリケーションを表示するために適合される。第二のモードは、たとえばＦＭラジオの音声はオーディオ、オーディオに特化した情報はＦＭラジオのチャネル周波数といった、再生されているオーディオを説明する表示領域にオーディオに特化した情報を表示するために適合される。第三のモードは、独立なディスプレイ・フォーカスアプリケーション及びオーディオに特化した情報を表示領域に同時に表示するために適合される。
【０００３】
ＬＣＤ  ＴＶでは、ＦＭラジオの同じコンセプトを組み込むことができる。このＬＣＤ  ＴＶが、そのＶＧＡ入力を介してＰＣに接続されるとき、ユーザは、ＰＣスクリーンを表示するためにＰＣモードに切替えることができる。さらに、小型のＴＶスクリーン（ＴＶ  ＰＩＰ）は、ＰＣスクリーンに重ね合わされるピクチャ・イン・グラフィック（ＰＩＧ）又はピクチャ・イン・ピクチャ（ＰＩＰ）により表示することができる。ＴＶ  ＰＩＰは、先に説明されたように、ＦＭラジオブロードキャストを受信しつつ、カラー又はダークバックグランドにＦＭラジオのチャネル周波数を表示する場合がある。
【０００４】
ＴＶ  ＰＩＰのケースでは、ユーザは、コンピュータからウィンドウと機能しつつ、小型のＴＶスクリーンをオンのままにする意図を有する。これは、問題を生じる場合がある。たとえば、ユーザは、ＰＣウィンドウのビューを妨げるとき、ＴＶ  ＰＩＰをシフトするため、リモートコントロールハンドセットを使用する必要がある。しかし、“ＦＭラジオ”ＰＩＰのケースでは（すなわちＰＩＰがカラー又はダークバックグランドにＦＭラジオのチャネル周波数を表示する）、ユーザは、ＰＣウィンドウをカバーする重要な領域をシフトし続けることが面倒であるとわかり、かかる領域は、チャネル周波数の指示を除いて、視聴のために有効なピクチャを含まない。さらに、かかるチャネル周波数ＯＳＤは、スケールダウンされ、判読しにくくなる。
【０００５】
ＥＰ１１３３１７４は、プログラムに関連する情報を表示するためのブロードキャスト及びコミュニケーション受信装置を記載している。このディスプレイは、プログラム及び関連する情報をそれぞれ表示するためのセパレートゾーンに分割される。ゾーンエリアは専用とされ、したがって関連する情報は、余分の情報がユーザにより必要とされないとしても、かなりの量の表示領域を満たす。
【発明の開示】
【発明が解決しようとする課題】
【０００６】
したがって、本発明の目的は、先に記載された問題に対する解決策を得ることであり、たとえばＰＣ用のモニタのような特定のディスプレイ・フォーカスアプリケーション用の表示装置をユーザが使用し、同時に、表示装置の表示領域に提供されるオーディオソースを聞く間に、ユーザが経験した不便さを最小にすることにある。
【課題を解決するための手段】
【０００７】
これは、表示領域を有するマルチモード表示装置により得られ、かかる表示装置は、第一のモードで、表示領域でのディスプレイ・フォーカスアプリケーション（display-focused  application）を表示するために適合され、かかる表示装置は、第二のモードで、再生されているオーディオを示す表示領域にオーディオに特化した情報を表示するために適合され、表示装置は、第三のモードで、表示領域に独立なディスプレイ・フォーカスアプリケーション及びオーディオに特化した情報を同時に表示するために適合される。本装置は、前記オーディオに特化した情報を含むオーディオデータを受信するために適合される受信手段、前記表示領域に前記オーディオに特化した情報を表示するために適合される処理手段を有する。
【０００８】
これにより、ユーザは、オーディオを聞きつつ、表示装置でオーディオに特化した情報を視聴するのを選択することができる。表示領域にオーディオに特化した情報を追加するための個別の処理手段のため、情報は、ディスプレイ・フォーカスアプリケーションのビューを妨げることなしに追加することができる。これは、特に、ディスプレイ・フォーカスアプリケーションのビューをできるだけ妨げない位置でサイズ合わせ及び位置合わせすることができる。これは、たとえば、ＬＣＤ  ＴＶモニタプロダクトにおけるＦＭラジオの機能のために有利に使用することができ、この場合、ユーザは、異なる無線ブロードキャストステーションを選択するとき、ＦＭ無線チャネル周波数をみることができる。勿論、たとえばプラズマディスプレイ、及び最近の最新技術から他のディスプレイについて適用することができる。
【０００９】
特定の実施の形態では、本装置は、前記オーディオを再生するための手段を有する。これにより、本装置は、１つに纏まった（all-in-one）装置であり、ユーザは、非常に空間を消費する可能性がある多数の装置を購入する必要がない。さらに、本装置が統合されるとき、相互の互換性に関して最適化することができる。
【００１０】
別の実施の形態では、本装置は、オーディオに特化した情報を記憶するために適合される記憶手段を更に有し、処理手段は、前記記憶手段から前記オーディオに特化した情報を読取るために適合される。これにより、オーディオに特化した情報は、スクリーンに情報を表示する処理手段に一定に利用可能であり、これは、たとえば無線チャネルの周波数を示すフォントの色を変えるため、オーディオに特化した情報がディスプレイにどのように提供されているかを変えるのをユーザが望むときに有効となる。
【００１１】
実施の形態では、本装置は、前記オーディオデータを前記装置が受信するのを可能にする外部のオーディオソースを接続するためのコネクタを有し、かかるオーディオデータは、かかるコネクタを介してオーディオソースからオーディオに特化した情報を含む。これにより、ＭＰ３プレーヤ、ＣＤプレーヤ及びラジオのような異なるソースから再生されているオーディオから、オーディオに特化した情報を表示するために使用することができる。たとえばＵＳＢによる既存のオーディオプレーヤのような標準的なコネクタシステムは、本装置とも組み合わせで使用することができ、本装置をカスタマイズするのを容易にする。
【００１２】
実施の形態では、表示領域はＬＣＤディスプレイであり、かかる表示領域にオーディオに特化した情報を表示する処理手段は、かかる表示装置に含まれる計数器“scaler”である。
【００１３】
これにより、既存のハードウェアは、本発明の装置に従って機能するために容易に調整することができる。
【００１４】
さらに、本発明は、表示領域でオーディオアプリケーションを視覚的に処理するマルチモード表示装置の方法に関し、かかる表示装置は、第一のモードで、表示領域にディスプレイフォーカスアプリケーションを表示するために適合され、かかる表示装置は、第二のモードで、表示領域にオーディオに特化した情報を表示するために適合され、かかるディスプレイ装置は、第三のモードで、表示領域に独立なディスプレイ・フォーカスアプリケーション及びオーディオに特化した情報を同時に表示するために適合され、当該方法は、前記オーディオに特化した情報を含むオーディオデータを受信するステップ、前記表示領域にオーディオに特化した情報を表示するステップを含む。
【００１５】
実施の形態では、本装置は、受信されたオーディオに特化した情報を記憶するために適合されるストレージ手段を更に有し、前記表示領域で表示されている前記オーディオに特化した情報は、前記ストレージ手段から読取られる。
【００１６】
別の実施の形態では、本装置は、外部のオーディオソースを接続するためにコネクタを有し、本装置は、前記コネクタから前記オーディオソースからオーディオに特化した情報を含む前記オーディオデータを受信する。
【００１７】
別の実施の形態では、本装置は、表示装置のユーザから入力を受けるための手段を更に有し、本方法は、そのモードにおいてディスプレイが使用されることを示す、表示装置のユーザから入力を受けるステップ、前記第二又は第三のモードが選択された場合に前記表示領域に前記オーディオに特化した情報を表示するステップを含む。
【発明を実施するための最良の形態】
【００１８】
以下では、本発明の好適な実施の形態は、添付図面を参照して記載される。  
図１では、本発明に係るマルチモードディスプレイ装置が例示されており、ディスプレイ装置１０１は、統合されたオーディオ再生装置１０３である、オーディオを再生するための手段を有する。例では、再生装置１０３は、統合されたｍｐ３プレーヤであり、ｍｐ３ミュージックを有するメモリカードが挿入され、再生装置１０３により再生される。また、表示装置１０１は、受信されたラジオのオーディオ信号でオーディオを再生するためのＤＶＤ，ＣＤ及び／又は受信機から記憶されたオーディオを再生するための装置のような、他のタイプの統合されたオーディオ再生装置を有することもできる。例では、表示装置１０１は、ステレオサウンドを提供するスピーカ１０５のセットを更に有し、代替的に、外部スピーカ及び／又はヘッドフォンに取り付けるためにプラグが提供される。ディスプレイ装置１０１は、再生装置１０３により再生されるオーディオを示すオーディオに特化した情報を表示領域に表示するために適合される。
【００１９】
図２では、本発明に係るマルチモードディスプレイ装置２０１の代替的な実施の形態が例示されており、ディスプレイ装置２０１は、たとえば外部のオーディオ再生装置である外部のオーディオソース（音源）２０３を接続するためのコネクタ２０２を有する。コネクタは、たとえば、外部のオーディオソース２０３からオーディオに特化した情報を含むオーディオデータをディスプレイ装置２０１が受信するのを可能にするＵＳＢプラグである。外部のオーディオソース２０３はｍｐ３プレーヤであり、ｍｐ３ミュージックを含むメモリカードが挿入され、プレーヤにより再生される。代替的に、オーディオデータは、ディスプレイ装置２０１により受信され、オーディオを再生するために適合される統合された処理手段により再生される。ディスプレイ装置２０１は、受信されたラジオのオーディオ信号における音声を再生するためのＤＶＤ，ＣＤ及び／又は受信機から記憶されたオーディオを再生するための装置のような他のタイプの外部のオーディオソース２０３に接続される。例では、表示装置２０１は、ステレオサウンドを提供するためのスピーカ２０５のセットを更に有し、代替的に、外部スピーカ及び／ヘッドフォンに取り付けるためにプラグが設けられる。表示装置２０１は、オーディオソース２０３により、又は、オーディオを再生するために適合される統合された処理手段により再生されているオーディオを示すオーディオに特化した情報を表示領域に表示するために適合される。
【００２０】
図３は、本発明に係るマルチモードディスプレイ装置におけるエレメントを例示しており、ディスプレイ装置はＬＣＤディスプレイである。本装置は、３つの部材を有しており、それぞれ、入力信号を処理するためのフロントエンド３０１、データが表示領域でどのように再生されるかを扱うバックエンド３０３、及びＬＣＤパネル３０５である表示領域である。フロントエンド３０１は、（たとえばＰＣにおけるグラフィックアダプタからの信号）表示領域で表示されるべきビデオ情報、及び表示領域に表示されるべきオーディオに特化した情報を有するオーディオデータをそれぞれ受信するオーディオ／ビデオ入力３０７を有する。フロントエンドは、受信されたデータを処理する処理手段３０９を更に有し、この処理手段は、ディスプレイにビデオ情報を適切に表示するために必要とされるデータを抽出するため、ビデオデータを処理することを含む。処理手段３０９は、オーディオデータから表示されるべきオーディオに特化した情報を抽出するために更に適合され、この情報は、たとえば記憶手段３１１に記憶され、これによりデータの可用性が保証される。つぎに、表示データは、計数器のバックエンドに転送され、どのモードでマルチモードモニタが動作されるかに基づいて、計数器の部分は、これに応じて情報がＬＣＤパネルである表示領域に提供されることを保証する。計数器プロセッサ３１３及び計数器のＩＣ３１５は、第一のモードで、ディスプレイ装置がディスプレイ・フォーカスアプリケーションをたとえばＰＣスクリーンである表示領域に表示するのを保証する。第二のモードでは、ディスプレイ装置は、再生装置により再生されているオーディオを示す表示領域にオーディオに特化した情報を表示する。第三のモードでは、ディスプレイ装置は、表示領域に独立なディスプレイ・フォーカスアプリケーション及びオーディオに特化した情報を同時に表示する。
【００２１】
図４では、マルチモードディスプレイ装置の表示領域が例示され、ディスプレイ装置は、再生装置により再生されているオーディオを示すオーディオに特化した情報及びディスプレイ・フォーカスアプリケーションを表示領域に同時に表示する第三のモードで動作される。例では、ディスプレイ・フォーカスアプリケーションは、ＰＣモニタ４０１としての機能であり、さらに、オーディオに特化した情報４０３は、ＰＣスクリーンの重要な領域を妨げないために、スクリーンのコーナに位置されるアイコンである。オーディオに特化した情報は、再生される歌のタイトルである。代替的に、再生装置がＦＭラジオチューナであるとき、ＦＭラジオチャネルの周波数である。ディスプレイ・フォーカスアプリケーション及びオーディオに特化した情報のそれぞれがどのように表示領域で表示されるかは、バックエンドにおける処理手段により独立して決定することができる。
【００２２】
図５では、結合されたＬＣＤモニタ及びＬＣＤ  ＴＶであるマルチモードディスプレイ装置におけるエレメントが例示され、モニタは、ＦＭラジオを聴いて、ＴＶを見るために更に使用することができる。装置は、３つの部分からなり、それぞれ、受信されたＴＶ及びラジオ情報を処理するためのＴＶフロントエンド５０１、データが表示領域でどのように再生されるかを扱うための計数器パネル５０３、ＬＣＤパネル５０５である表示領域である。ＴＶフロントエンド５０１は、ＴＶ及びラジオ信号をそれぞれ受信するためのＴＶ及びＦＭラジオチューナ５０７を有する。フロントエンドは、ＴＶ信号を処理すること、及び表示されるべきラジオ信号からオーディオに特化した情報を抽出することを含む、受信されたデータを処理するための処理手段５０９を更に有しており、この情報は、たとえばＥＥＰＲＯＭ又はＮＶＭである記憶手段５１１に記憶され、これによりデータの可用性が保証される。ディスプレイは、バックエンド５０３を更に有し、どのモードでマルチモードモニタが動作しているかに基づいて、計数器の部分は、これに応じてＬＣＤパネルである表示領域に情報が提供されるのを保証する。計数器のプロセッサ５１３及び計数器のＩＣ５１５は、第一のモードで、ディスプレイ装置が、たとえばＰＣである表示領域にディスプレイ・フォーカスアプリケーションを表示することを保証する。第二のモードでは、ディスプレイ装置は、たとえばＦＭ無線周波数といった再生装置により再生されているオーディオを示す表示領域にオーディオに特化した情報を表示する。第三のモードでは、ディスプレイ装置は、独立なディスプレイ・フォーカスアプリケーション及びオーディオに特化した情報を表示領域に同時に表示する。
【００２３】
図６では、本発明に係るマルチモードディスプレイ装置でオーディオを視覚的に処理するロジックダイアグラムが例示されている。フローチャートは、ステップ６０１で開始し、ステップ６０３では、ディスプレイ装置がＰＣモニタとして動作されるか（ＰＣ？）が決定され、否定的である場合には制御が再開される。装置がＰＣモニタとして動作される場合、ステップ６０５で、装置がたとえばラジオといったオーディオを再生するために使用されるか（Ａｕｄｉｏ？）が判定され、否定的である場合、ステップ６０７で、本装置は、通常のＰＣモニタとして動作し（Ｎ＿ＰＣ）、全体の表示領域は、ＰＣ用に使用される。本装置がオーディオ再生用に使用されるとき、オーディオの再生（Ｐ＿Ａｕｄｉｏ）は、ステップ６０９で開始され、たとえば統合されたスピーカを使用することで、オーディオが再生される。ステップ６１１では、オーディオに特化した情報は、ローカルの記憶手段からそれを読取るか（Ｒ＿ＡＳＩ）、受信されたオーディオ信号からそれを直接的に抽出することで検索される。ステップ６１３では、ユーザ選択に基づいて、オーディオに特化した情報はスクリーンで表示されるべきか否かが判定される（ＯＳＤ  Ａｕｄｉｏ？）。否定的である場合、スピーカを通してオーディオが再生されるが、ＰＣスクリーンのみが表示領域で表示され、さもなければ、オーディオに特化した情報が表示される。
【００２４】
なお、上記の内容は汎用又は特定用途向けのプログラマブルマイクロプロセッサ、デジタルシグナルプロセッサ（ＤＳＰ）、特定用途向け集積回路（ＡＳＩＣ）、プログラマブルロジックアレイ（ＰＬＡ）、フィールドプログラマブルゲートアレイ（ＦＰＧＡ）、特定用途向け電子回路等、又はその組み合わせとして実現される場合がある。
【００２５】
なお、先に記載された実施の形態は、本発明を限定するよりはむしろ例示するものであり、当業者であれば、特許請求の範囲から逸脱することなしに多くの代替的な実施の形態を設計することができる。請求項では、括弧の間に配置される参照符号は、請求項を限定するとして解釈されるべきではない。単語「有する“comprising”」は、請求項で列挙された以外のエレメント又はステップの存在を排除するものではない。本発明は、幾つかの個別のエレメントを有するハードウェアにより、適切にプログラムされたコンピュータにより実現することができる。幾つかの手段を列挙した装置の請求項では、幾つかのこれらの手段は、同一アイテムのハードウェアにより実施することができる。所定の手段が相互に異なる従属の請求項で引用されることは、これらの手段の組み合わせを使用することができないことを示すものではない。
【図面の簡単な説明】
【００２６】
【図１】統合されたオーディオソースを有する、本発明に係るＬＣＤモニタを示す図である。
【図２】外部のオーディオソースに接続するためのコネクタを有する、本発明に係るＬＣＤモニタを示す図である。
【図３】オーディオを再生するために適合される、本発明に係るＬＣＤモニタにおけるエレメントを示す図である。
【図４】ディスプレイが独立なオーディオアプリケーション用に使用される、オーディオを同時に再生するマルチモードディスプレイ装置の表示領域を示す図である。
【図５】ディスプレイ装置がＦＭラジオの機能をもつＬＣＤ−ＴＶモニタであるとき、マルチモードディスプレイ装置におけるエレメントを示す図である。
【図６】本発明に係るディスプレイ装置においてオーディオを視覚的に処理するロジックダイアグラムである。
【図１】
2007514187.tif 000003
【図２】
2007514187.tif 000004
【図３】
2007514187.tif 000005
【図４】
2007514187.tif 000006
【図５】
2007514187.tif 000007
【図６】
2007514187.tif 000008
【国際調査報告】
2007514187.tif 000009
2007514187.tif 000010
2007514187.tif 000011